(57)【要約】      （修正有）【課題】  操作性が良く、製造コストが高くなることのない鞄のハンドル伸縮装置を提供する。【解決手段】  縦方向に互いに平行する挿入部１ａを形成する二本の外部材１、および外部材１の挿入部１ａ内にそれぞれ摺動自在として配設した内部材２と、内部材２の上端部に跨設する握り柄３とにより構成するハンドルＨからなり、前記外部材１の挿入部１ａの内側壁または外側壁に沿ってラック４を設けると共に、前記内部材２の下端部に前記ラック４のラック歯４ａと係脱自在とした係合部材５を設けたものとし、この係合部材５に前記ラック歯４ａとの係脱操作をおこなうワイヤー６の下端を連結したものとして、このワイヤー６を前記内部材２内に張り渡し、そのワイヤー６の上端を、握り柄３に設けた操作体７によって操作される移動レバー８に連結したものとしている。【選択図】    図４
2006122342.tif 000002
【特許請求の範囲】
【請求項１】
縦方向に互いに平行する挿入部（１ａ）を形成する二本の外部材（１）、および外部材（１）の挿入部（１ａ）内にそれぞれ摺動自在として配設した内部材（２）と、内部材（２）の上端部に跨設する握り柄（３）とにより構成するハンドル（Ｈ）からなり、前記外部材（１）の挿入部（１ａ）の内側壁または外側壁に沿ってラック（４）を設けると共に、前記内部材（２）の下端部に前記ラック（４）のラック歯（４ａ）と係脱自在とした係合部材（５）を設けたものとし、この係合部材（５）に前記ラック歯（４ａ）との係脱操作をおこなうワイヤー（６）の下端を連結したものとして、このワイヤー（６）を前記内部材（２）内に張り渡し、そのワイヤー（６）の上端を、握り柄（３）に設けた操作体（７）によって操作される移動レバー（８）に連結したことを特徴とする鞄のハンドル伸縮装置。
【請求項２】
前記移動レバー（８）を、下方から上方に向かって傾斜した傾斜スリット（８ａ）が内側端に形成され、前記操作体（７）を挟んでこの操作体（７）の両側の握り柄（３）の内部に形成された案内溝（１０）内に挿入され、前記操作体（７）の両側部に形成した案内溝（７ａ）に、移動レバー（８）の傾斜スリット（８ａ）が形成された内側端をそれぞれ挿入し、この傾斜スリット（８ａ）に支軸（１１）が沿うように移動レバー（８）の内側端を操作体（７）の両側部にそれぞれ軸支したものとしたことを特徴とする請求項１記載の鞄のハンドル伸縮装置。
【請求項３】
前記係合部材（５）を、摺動体（１４）、係合体（１５）および操作体（１６）から構成されるものとし、前記摺動体（１４）の内部空間（１４ａ）に、前記係合体（１５）を内側端の開口から挿入すると共に、前記操作体（１６）を上端の開口から挿入し、係合体（１５）がバネ付勢されるように摺動体（１４）にバネ（２４）の一端を支持し、係合体（１５）にバネ（２４）の他端を支持し、さらにこの係合体（１５）を操作体（１６）の両操作壁（２３）の間に位置するようにし、係合体（１５）の軸孔（１９）に挿入した支軸（２５）の両端が両操作壁（２３）の傾斜スリット（２３ａ）に沿うようにしたことを特徴とする請求項１または２記載の鞄のハンドル伸縮装置。
【請求項４】
前記案内溝（１０）を形成する包囲壁（１２）の外端に、ワイヤー（６）の上端部を案内する案内片（１３）を形成したことを特徴とする請求項１〜３の何れかに記載の鞄のハンドル伸縮装置。
【発明の詳細な説明】
【技術分野】
【０００１】
この発明は、旅行用トランクなどの鞄に装着され、ハンドルを使用者の最適な寸法に伸ばして、運搬することのできる鞄のハンドル伸縮装置に関するものである。
【背景技術】
【０００２】
従来、この種の鞄のハンドル伸縮装置としては、例えば本件出願人が先に出願したようなラックアンドピニオン機構を適用することにより、ハンドルを細かい間隔で多段階に寸法調整することができるようにしたものが存在する。
【０００３】
この従来の鞄のハンドル伸縮装置は、図６、７または図８、９に示したように、縦方向に互いに平行する溝部５１ａを形成する二本の外部材５１、および外部材５１の溝部５１ａ内にそれぞれ摺動自在として配設した内部材５２と、内部材５２の上端部に跨設する握り柄５３とにより構成するハンドルＨからなる。
【０００４】
前記外部材５１の溝部５１ａには、外側壁または内外側壁に沿ってラック５４を設けると共に、前記内部材５２の下端部には、前記ラック５４のラック歯５４ａと噛み合うピニオン５５を設けたものとしている。さらに、前記ピニオン５５に係脱自在としてピニオン５５の回転を自由にしたり阻止したりする係合部材５６を、前記内部材５２内に弾性的に上下動自在として挿入した細長い棒状のリンク５７の下端に連結したものとしている。そして、前記リンク５７の上端に、ハンドルＨの握り柄５３に設けた操作体５８によって操作される揺動レバー５９を連結したものとしている。
【０００５】
また、前記握り柄５３は、図６に示したように、一直線状とした握り部５３ａのみからなるものとし、この握り部５３ａを鞄本体の上部に沿うようにしたり、図８に示したように、握り部５３ａと延長部５３ｂ、５３ｂからなり、略コ字状に形成すると共に延長部５３ｂ、５３ｂを湾曲させて、これら延長部５３ｂ、５３ｂを鞄本体の上端の湾曲形状に沿うようにして、鞄本体から突き出して邪魔にならないようにしている（特許文献１）。
【特許文献１】再公表特許Ｗ２００２／６７７１９号公報（図１、２、６、７）
【発明の開示】
【発明が解決しようとする課題】
【０００６】
しかしながら、上記従来の鞄のハンドル伸縮装置において、図８に示したように、握り柄５３の延長部５３ｂ、５３ｂを湾曲させて、鞄本体の上端形状に沿うようにしているものでは、リンク５７の上端も前記延長部５３ｂの湾曲形状に沿って湾曲させた状態にしないと、このリンク５７が延長部５３ｂの湾曲部に当たったりして、操作体からの操作力が効率よく伝わらないという問題点を有していた。
【０００７】
さらに、前記リンク５７の上端を延長部５３ｂの湾曲形状に沿って湾曲させるには手間がかかり、製造コストが高くなるという問題点を有していた。
【０００８】
そこで、この発明は、上記従来の問題点を解決することをその課題としており、前記リンクに代えてワイヤーを用いることにより、操作体からの操作力が効率よく伝わり、操作性が良くなり、またリンクのように曲げなくても握り柄の湾曲形状に沿うようにし、曲げる手間が省け、製造コストが高くなることのない鞄のハンドル伸縮装置を提供することを目的としてなされたものである。
【課題を解決するための手段】
【０００９】
そのため、この発明の鞄のハンドル伸縮装置は、縦方向に互いに平行する挿入部１ａを形成する二本の外部材１、および外部材１の挿入部１ａ内にそれぞれ摺動自在として配設した内部材２と、内部材２の上端部に跨設する握り柄３とにより構成するハンドルＨからなり、前記外部材１の挿入部１ａの内側壁または外側壁に沿ってラック４を設けると共に、前記内部材２の下端部に前記ラック４のラック歯４ａと係脱自在とした係合部材５を設けたものとし、この係合部材５に前記ラック歯４ａとの係脱操作をおこなうワイヤー６の下端を連結したものとして、このワイヤー６を前記内部材２内に張り渡し、そのワイヤー６の上端を、握り柄３に設けた操作体７によって操作される移動レバー８に連結したものとしている。
【００１０】
さらに、この発明の鞄のハンドル伸縮装置は、前記移動レバー８を、下方から上方に向かって傾斜した傾斜スリット８ａが内側端に形成され、前記操作体７を挟んでこの操作体７の両側の握り柄３の内部に形成された案内溝１０内に挿入され、前記操作体７の両側部に形成した案内溝７ａに、移動レバー８の傾斜スリット８ａが形成された内側端をそれぞれ挿入し、この傾斜スリット８ａに支軸１１が沿うように移動レバー８の内側端を操作体７の両側部にそれぞれ軸支したものとしている。
【００１１】
また、この発明の鞄のハンドル伸縮装置は、前記係合部材５を、摺動体１４、係合体１５および操作体１６から構成されるものとし、前記摺動体１４の内部空間１４ａに、前記係合体１５を内側端の開口から挿入すると共に、前記操作体１６を上端の開口から挿入し、係合体１５がバネ付勢されるように摺動体１４にバネ２４の一端を支持し、係合体１５にバネ２４の他端を支持し、さらにこの係合体１５を操作体１６の両操作壁２３の間に位置するようにし、係合体１５の軸孔１９に挿入した支軸２５の両端が両操作壁２３の傾斜スリット２３ａに沿うようにしている。
【００１２】
さらにまた、この発明の鞄のハンドル伸縮装置は、前記案内溝１０を形成する包囲壁１２の外端に、ワイヤー６の上端部を案内する案内片１３を形成したものとしている。
【発明の効果】
【００１３】
この発明の鞄のハンドル伸縮装置は、以上に述べたように構成されているので、操作性が良く、製造コストが高くなることのないものなった。
【発明を実施するための最良の形態】
【００１４】
以下、この発明の鞄のハンドル伸縮装置を実施するための最良の形態を、図面に基づいて詳細に説明する。
【００１５】
この発明の鞄のハンドル伸縮装置は、図１に示したように、縦方向に互いに平行する挿入部１ａを形成する二本の外部材１、および外部材１の挿入部１ａ内にそれぞれ摺動自在として配設した内部材２と、内部材２の上端部に跨設する握り柄３とにより構成するハンドルＨからなる。
【００１６】
前記外部材１および内部材２は、合成樹脂や金属からなる長尺の筒状に形成されており、鞄がハードケースやソフトケースからなるものであっても、鞄本体に直接、固着することにより、鞄に装着できるようにしている。前記握り柄３は、合成樹脂や金属からなる二分割体とした長尺の筒状に形成されており、握り部３ａと延長部３ｂ、３ｂからなり、略コ字状に形成すると共に延長部３ｂ、３ｂを湾曲させて、これら延長部３ｂ、３ｂを鞄本体の上端の湾曲形状に沿うようにして、鞄本体から突き出して邪魔にならないようにしている。
【００１７】
前記外部材１の挿入部１ａには、内側壁または外側壁に沿ってラック４を設けると共に、前記内部材２の下端部には、前記ラック４のラック歯４ａと係脱自在とした係合部材５を設けたものとしている。この係合部材５には、前記ラック歯４ａとの係脱操作をおこなうワイヤー６の下端を連結したものとしている。このワイヤー６は、前記内部材２内に張り渡し、そのワイヤー６の上端を、握り柄３に設けた操作体７によって操作される移動レバー８に連結したものとしている。
【００１８】
前記握り柄３は、二分割体をビス止めするなどして結合し、延長部３ｂ、３ｂの下端をそれぞれ両内部材２の上端部にビス止めするなどして連結し、内部材２の上端部に跨設している。さらに、図２に示したように、握り柄３の内部には、上方からバネ９により付勢されて外部に一部を突き出させ、その突出部を手指などによる外部からの押し込み操作により出没するようにして前記操作体７が設けられており、この操作体７の操作によって操作される前記移動レバー８が前記操作体７の両側部に連結されている。前記移動レバー８は、それぞれ下方から上方に向かって傾斜した傾斜スリット８ａが内側端に形成され、前記ワイヤー６の上端との連結溝８ｂが外側端に形成されたものとしており、それぞれが前記操作体７を挟んでこの操作体７の両側の握り柄３の内部に形成された案内溝１０内に挿入されている。そして、前記操作体７の両側部に形成した案内溝７ａに、移動レバー８の傾斜スリット８ａが形成された内側端をそれぞれ挿入し、この傾斜スリット８ａに支軸１１が沿うように移動レバー８の内側端を操作体７の両側部にそれぞれ軸支したものとしている。さらに、前記案内溝１０を形成する包囲壁１２の外端には、ワイヤー６の上端部を案内する案内片１３を形成したものとしている。
【００１９】
前記係合部材５は、図３に示したように、摺動体１４、係合体１５および操作体１６から構成されている。摺動体１４は、前記内部材２の内壁に沿って摺動自在としており、上端および内側端を開口させた内部空間１４ａを形成し、この内部空間１４ａの内壁に支持突起１７を設け、さらに内部空間１４ａの下側部に案内突起１８を形成している。係合体１５は、内端側に前記外部材１に設けたラック４のラック歯４ａと係脱自在とした係合部１５ａを設け、外端側の上部に軸孔１９を設け、外端側の略中央部に支持穴２０を設け、さらに下側部に案内溝２１を形成している。操作体１６は、上端に前記ワイヤー６の下端との連結溝２２が形成され、下部に二股状の操作壁２３を設けたものとし、これら操作壁２３に内側から外側にかけて上方から下方に向かって傾斜した傾斜スリット２３ａをそれぞれ形成している。そして、前記摺動体１４の内部空間１４ａに、案内突起１８が案内溝２１に嵌まり込むようにして、前記係合体１５を内側端の開口から挿入すると共に、前記操作体１６を上端の開口から挿入すると共に、係合体１５がバネ付勢されるように摺動体１４の支持突起１７にバネ２４の一端を支持し、係合体１５の支持穴２０にバネ２４の他端を挿入して支持し、さらにこの係合体１５を操作体１６の両操作壁２３の間に位置するようにし、係合体１５の軸孔１９に挿入した支軸２５の両端が両操作壁２３の傾斜スリット２３ａに沿うようにしている。
【００２０】
以上のように構成したこの発明の鞄のハンドル伸縮装置は、次のような操作によってハンドルを伸縮させることができる。
【００２１】
すなわち、図４に示した状態において、この発明の鞄のハンドル伸縮装置の握り柄３を使用者が握り、親指で操作体７を押し込み操作すると、支軸１１が移動レバー８の傾斜スリット８ａを下方から上方に向かって移動することにより、移動レバー８が内側に引き寄せられる。すると、移動レバー８の外側端に上端が連結されたワイヤー６が引き上げられ、このワイヤー６の下端に連結された係合部材５の操作体１６も引き上げられる。このとき、前記ワイヤー６の上端部は、案内片１３が形成されている場合には、この案内片１３に沿って案内され、案内片１３が形成されていない場合には、握り柄３の延長部３ｂなどに沿って案内されるので、操作体７からの操作力は減衰することなく効率よく操作体１６に伝えられる。
【００２２】
前記操作体１６が引き上げられると、係合体１５の支軸２５がこの操作体１６の両操作壁２３の傾斜スリット２３ａを上方から下方に向かって移動することにより、係合体１５が外側に引き寄せられる。すると、係合体１５の係合部１５ａと外部材１のラック４のラック歯４ａとの係合が解除される。
【００２３】
そこで、使用者が握り柄３を握ったままこの握り柄３を引き上げると、図５に示したように、内部材２が外部材１を摺動して、内部材２を外部材１から上に突き出させることができ、ハンドルＨを適当な長さに伸ばして使用者の最適な寸法にすることができる。
【００２４】
そして、このハンドルＨを使用者の最適な寸法にした状態で、使用者が操作体７の押し込み操作を中止すると、バネ９の付勢力で支軸１１が移動レバー８の傾斜スリット８ａを上方から下方に向かって移動することにより、移動レバー８が元の状態に戻る。すると、移動レバー８の外側端に上端が連結されたワイヤー６が元の状態に戻り、このワイヤー６の下端に連結された係合部材５の操作体１６も元の状態に戻る。
【００２５】
この操作体１６が元の状態に戻ると、係合体１５の支軸２５がこの操作体１６の両操作壁２３の傾斜スリット２３ａを下方から上方に向かって移動することにより、係合体１５が内側に戻される。すると、係合体１５の係合部１５ａと外部材１のラック４のラック歯４ａが再び係合される。
【００２６】
したがって、この状態で、使用者が握り柄３を握り、この握り柄３を引き上げても、係合体１５の係合部１５ａと外部材１のラック４のラック歯４ａが係合されているので、内部材２を外部材１からそれ以上、上に突き出させることができなくなり、前記ハンドルＨが使用者の最適な寸法に維持され、この状態で鞄を運搬すれば、ハンドルＨが持ちやすく運搬し易いものとなる。
【００２７】
次に、前記ハンドルＨを使用者の最適な寸法にした状態において、この発明の鞄のハンドル伸縮装置の握り柄３を使用者が握り、親指で操作体７を再び押し込み操作すると、前記したのと同様に、支軸１１が移動レバー８の傾斜スリット８ａを下方から上方に向かって移動することにより、移動レバー８が内側に引き寄せられる。すると、移動レバー８の外側端に上端が連結されたワイヤー６が引き上げられ、このワイヤー６の下端に連結された係合部材５の操作体１６も引き上げられる。この操作体１６が引き上げられると、係合体１５の支軸２５がこの操作体１６の両操作壁２３の傾斜スリット２３ａを上方から下方に向かって移動することにより、係合体１５が外側に引き寄せられる。すると、係合体１５の係合部１５ａと外部材１のラック４のラック歯４ａとの係合が解除される。
【００２８】
そこで、使用者が握り柄３を握ったままこの握り柄３を押し下げると、内部材２が外部材１を摺動して、内部材２を外部材１内に入り込ませることができ、図４に示したように、ハンドルＨを縮ませた元の短い状態にすることができる。
【００２９】
そして、このハンドルＨを縮ませた元の短い状態で、使用者が操作体７の押し込み操作を中止すると、バネ９の付勢力で支軸１１が移動レバー８の傾斜スリット８ａを上方から下方に向かって移動することにより、移動レバー８が元の状態に戻る。すると、移動レバー８の外側端に上端が連結されたワイヤー６が元の状態に戻り、このワイヤー６の下端に連結された係合部材５の操作体１６も元の状態に戻る。
【００３０】
この操作体１６が元の状態に戻ると、係合体１５の支軸２５がこの操作体１６の両操作壁２３の傾斜スリット２３ａを下方から上方に向かって移動することにより、係合体１５が内側に戻される。すると、係合体１５の係合部１５ａと外部材１のラック４のラック歯４ａが再び係合される。
【００３１】
したがって、この状態で、使用者が握り柄３を握り、この握り柄３を引き上げても、係合体１５の係合部１５ａと外部材１のラック４のラック歯４ａが係合されているので、内部材２を外部材１から上に突き出させることができなくなり、前記ハンドルＨが縮んだ元の短い状態に維持され、この状態で鞄を保管すれば、ハンドルＨが邪魔にならず保管し易いものとなる。
【図面の簡単な説明】
【００３２】
【図１】この発明の鞄のハンドル伸縮装置の一部切欠分解斜視図である。
【図２】この発明の鞄のハンドル伸縮装置の握り柄の分解斜視図である。
【図３】この発明の鞄のハンドル伸縮装置の係合部材の分解斜視図である。
【図４】この発明の鞄のハンドル伸縮装置のハンドルを縮ませた状態を一部断面して示す正面図である。
【図５】この発明の鞄のハンドル伸縮装置のハンドルを伸ばした状態を一部断面して示す正面図である。
【図６】従来の鞄のハンドル伸縮装置の一例を示す一部切欠分解斜視図である。
【図７】図６に示す従来の鞄のハンドル伸縮装置のハンドルを縮ませた状態を一部断面して示す正面図である。
【図８】従来の鞄のハンドル伸縮装置の他の例を示す一部切欠分解斜視図である。
【図９】図８に示す従来の鞄のハンドル伸縮装置のハンドルを縮ませた状態を一部断面して示す正面図である。
【符号の説明】
【００３３】
１  外部材
１ａ  挿入部
２  内部材
３  握り柄
４  ラック
４ａ  ラック歯
５  係合部材
６  ワイヤー
７  操作体
７ａ  案内溝
８  移動レバー
８ａ  傾斜スリット
１０  案内溝
１１  支軸
１２  包囲壁
１３  案内片
１４  摺動体
１４ａ  内部空間
１５  係合体
１６  操作体
１９  軸孔
２３  操作壁
２３ａ  傾斜スリット
２４  バネ
２５  支軸
Ｈ  ハンドル
【図１】
2006122342.tif 000003
【図２】
2006122342.tif 000004
【図３】
2006122342.tif 000005
【図４】
2006122342.tif 000006
【図５】
2006122342.tif 000007
【図６】
2006122342.tif 000008
【図７】
2006122342.tif 000009
【図８】
2006122342.tif 000010
【図９】
2006122342.tif 000011